(57)【要約】【課題】菓子ケーキ類等の食品を収納して持ち運ぶ際に、食品購入時の形状を維持した状態で衛生的に食品を持ち運び、持ち運んだ後に紙箱から食品を取出す際に、食品の取出しを容易にし、展示効果にも優れた紙箱を提案することを目的とする。【解決手段】紙箱の前面部２２と後面部２３と右側面部２４ａと左側面部２４ｂを略四角形状または略逆台形状とし、前記右側面部２４ａおよび前記左側面部２４ｂと、前記右側面部２４ａおよび前記左側面部２４ｂの前側辺に連設した折込み部１７との間に、上方にいくにしたがって、曲率半径が小さくなる曲線の折目線３０を設け、上面部２５及び前面部２２を開放可能とし、紙箱の提げ手２６に、略円形の凸部４３を形成することで設けた。【選択図】図７
0003125114.tif 000002
【実用新案登録請求の範囲】
【請求項１】
菓子ケーキ類等の食品を収納するための紙箱において、四角形状に形成した底面部の周囲の辺より前面部と後面部と右側面部と左側面部を立ち上げて、後面部の上側の辺に上面部を連接し、該後面部と左右の側面部を固定して、上面部及び前面部を開放可能に構成し、前面部と後面部と右側面部と左側面部とを略四角形状または略逆台形状に形成し、前記右側面部および前記左側面部と、前記右側面部および前記左側面部の前側辺に連設した折込み部との間に、上方にいくにしたがって、曲率半径が小さくなる曲線の折目線を設けたことを特徴とする紙箱。
【請求項２】
請求項１に記載の紙箱において、前記後面部に連設した上面部と、前記前面部に連設した上面部とに提げ手を連接し、該提げ手の略中央に位置する持ち手部分と、前記提げ手の両端部に設けた係止突起との間の、片側または両側に、凸部を設けたことを特徴とする紙箱。
【考案の詳細な説明】
【技術分野】
【０００１】
本考案は、菓子ケーキ類等の食品を収納するための紙箱に関し、上面部及び前面部を開放可能とすることで、収容した食品の取出しが容易となり、紙箱の前面部と後面部を略四角形状とし、側面部の形状を、側面部の前側を凸円弧状の曲線からなる略四角形状とすることで、商品を衛生的に持ち運ぶことを可能とする紙箱に関する。
【背景技術】
【０００２】
菓子ケーキ類等の食品は、食品上部にクリーム等の装飾が施されていることが多く、紙箱に収容して持ち運ぶ場合、装飾部が紙箱の内側に附着する場合が多く、運んだ後に食品を取出す場合に、他の食品に手が触れるなどして、食品の変形や型崩れが起こる場合が多く、食品購入時の形状を維持したままでの持ち運びや取出しが困難となっている。
また、菓子ケーキ類等の食品の持ち運びの際に、紙箱の隙間から埃が浸入することがあり、衛生的に食品を持ち運ぶことが望まれている。
さらに、菓子ケーキ類等の食品を収容する紙箱は、店頭にディスプレイされることが多く、展示効果を有することが望まれている。
これらの、課題に対してはこれまでも関連する考案が提案されている。
【０００３】
例えば、特許文献１においては、側面を逆台形状とすることによる紙箱を提案している。（特許文献１参照）この紙箱は、側面を逆台形状とすることによる展示効果を提案している。
【０００４】
また、特許文献２においては、側面を逆台形状とし、上面を広く開放するトップオープン式の紙箱を提供している。（特許文献２参照）この紙箱は、上面を広く開放することにより、収容した商品を顧客にアピールする展示効果と、収容した商品の取出しが容易であることを提案している。
【特許文献１】実開平６−７２８２２号公報
【特許文献２】特開２００５−１８６９８２号公報
【考案の開示】
【考案が解決しようとする課題】
【０００５】
しかし、上記特許文献１に提案される従来の紙箱では、紙箱に存する隙間から埃が入りやすく、持ち運び時における衛生面に問題があった。また、上記特許文献２に提案されるトップオープン式の紙箱は、食品を取出す場合、他の食品に手が触れることにより、他の食品の形を崩す場合があり、食品購入時の形状を維持したままでの持ち運びや取出しが困難である。
【０００６】
そこで、本考案においては従来の課題を解決するものあり、食品購入時の形状を維持した状態で、紙箱に収容された食品を衛生的に持ち運び、展示効果にも優れた紙箱を提案することを目的とする。
【課題を解決するための手段】
【０００７】
本考案の解決しようとする課題は以上の如くであり、次にこの課題を解決するための手段を説明する。
【０００８】
即ち、請求項１においては、菓子ケーキ類等の食品を収納するための紙箱において、四角形状に形成した底面部の周囲の辺より前面部と後面部と右側面部と左側面部を立ち上げて、後面部の上側の辺に上面部を連接し、該後面部と左右の側面部を固定して、上面部及び前面部を開放可能に構成し、前面部と後面部と右側面部と左側面部とを略四角形状または略逆台形状に形成し、前記右側面部および前記左側面部と、前記右側面部および前記左側面部の前側辺に連設した折込み部との間に、上方にいくにしたがって、曲率半径が小さくなる曲線の折目線を設けたものである。
【０００９】
請求項２においては、前記後面部に連設した上面部と、前記前面部に連設した上面部とに提げ手を連接し、該提げ手の略中央に位置する持ち手部分と、前記提げ手の両端部に設けた係止突起との間の、片側または両側に、凸部を設けたものである。
【考案の効果】
【００１０】
本考案の効果として、以下に示すような効果を奏する。
【００１１】
請求項１においては、右側面部および左側面部と、前記右側面部および前記左側面部の前側辺に連設した折込み部との間に、上方にいくにしたがって、曲率半径が小さくなる曲線の折目線を設けたことで、左右の側面部と前面部との間に生じる隙間を殆どなくし、食品を持ち運ぶ場合に紙箱の中に埃等が入ることを防ぎ、衛生的に食品を持ち運ぶことができる。
【００１２】
請求項２においては、前記後面部に連設した上面部と、前記前面部に連設した上面部とに提げ手を連接し、該提げ手の略中央に位置する持ち手部分と、前記提げ手の両端部に設けた係止突起との間の、片側または両側に、凸部を設けることにより、顧客の目を引き、優れた展示効果を得ることができる。
【考案を実施するための最良の形態】
【００１３】
次に、考案の実施の形態を説明する。
図１は本考案の一実施例に係る紙箱１の全体的な構成を示した斜視図、図２は紙箱１の展開図、図３は紙箱１の右側面図、図４は紙箱１の正面図、図５は菓子４０を紙箱１に収容した状態を示す断面図、図６は菓子４０を紙箱１から取出す状態を示す図、図７は本考案の一実施例に係る紙箱２の全体的な構成を示した斜視図、図８は紙箱２の展開図、図９は紙箱２の正面図、図１０は紙箱２の右側面図、図１１は紙箱２の平面図である。図１２は紙箱２の底面図、図１３、図１４、図１５は提げ手の別形状を示す図である。
【００１４】
本考案に係る紙箱は、食品を収納し、持ち運ぶ時に紙箱内に埃が浸入する事を防ぎつつ、食品に施された装飾が紙箱の内面に附着することを防ぎ、さらに、紙箱の提げ手部分に凸部等を設けることで、食品の持ち運び時の衛生面においても展示効果の面においても、優れた効果を有する紙箱を提供するものである。
【００１５】
紙箱１は、平厚紙からなり、図２に示すように、底面部１１、該底面部１１に折目線３４を介して連続的に設けられた前面部１２、折目線３５を介して連続的に設けられた後面部１３、折目線３６・３６を介して連続的に設けられた右側面部１４ａと左側面部１４ｂ、前記後面部に折目線３７を介して連続的に設けられた上面部１５、該上面部１５に折目線３８を介して連続的に設けられた係止辺３１、とから構成される。つまり、底面部１１は四角形状に構成して、その周囲の各辺（折目線）に前面部１２、後面部１３、右側面部１４ａ、左側面部１４ｂが連続して設けられ、後面部１３の上側の辺（折目線）に上面部１５が連続的に設けられている。
【００１６】
紙箱１の前面部１２と後面部１３は、略四角形状または略逆台形状に形成され、右側面部１４ａ、左側面部１４ｂは、前側辺が折目線３０として略四角形状または略逆台形状になるよう構成されている。右側面部１４ａ、左側面部１４ｂの前側には、折込み部１７が連設されている。前記右側面部１４ａおよび前記左側面部１４ｂと、前記右側面部１４ａおよび前記左側面部１４ｂの前側辺に連設した折込み部１７との間に、上方にいくにしたがって、曲率半径が小さくなる曲線の折目線３０を設けている。従って、箱状に組み立てた時に、右側面部１４ａ、左側面部１４ｂの前側の辺は、前側に向かって膨らんだ形状となる。そして、前面部１２を折目線３４に沿って折り曲げて持ち上げて、上面部１５に設けた舌部３２を係止孔３３に係止した時に、前面部１２の両側は右側面部１４ａ、左側面部１４ｂの前側辺（折り込み部１７）に沿った形状で組み立てられる。つまり、前面部１２を底面部１１の前部の折目線３４に沿って折り曲げると、この折目線３４部分においてスプリングバックの如く元の平面に戻ろうとする力が働き、前面部１２は曲線状となってしまうが（前面部１２は開閉する構成であるため直線状とすることは実質不可能となる）、本実施例の如く、前面部１２の両側が当接する、右側面部１４ａ、左側面部１４ｂの前側辺を、曲線状の折目線３０としているため、前面部１２の両側は、右側面部１４ａ、左側面部１４ｂの前側の折目線３０に沿って当接して隙間なくフィットし、折目線３０を直線とした場合に前面部と側面部との間に生じる隙間をなくすことが可能となる。特に、折目線３０を上方にいくにしたがって、曲率半径が小さくなる曲線とすることで、前面部１２を折目線３４に沿って上方に折り曲げて、舌部３２を係止孔３３に係止した時に隙間なく組み立てることができる。つまり、円の一部とした円弧状の折目線３０であると、下部に隙間ができてしまう。この隙間は前部に位置するため目立ってしまうのである。本考案の如く曲線とするとで殆ど隙間をなくせるのである。
【００１７】
また、後面部１３の両側には、折目線３９・３９を介して折込み部１６・１６が連続して設けられており、該折込み部１６・１６の裏面は、右側面部１４ａ、左側面部１４ｂの後部内面に接着剤等により貼着して固定される。
このように、折込み部１６と、右側面部１４ａ、左側面部１４ｂとを貼着することにより、右側面部１４ａ、左側面部１４ｂと後面部１３との間に隙間が生じることはなく、埃等の浸入を完全に防ぐことが可能となる。そして、後面部１３と、右側面部１４ａ、左側面部１４ｂとの間は直線状の接続部となる。
【００１８】
前面部１２には、係止孔３３が設けられており、本実施例では、該係止孔３３は前面部１２の略左右中央の上部に設けられている。一方前記上面部１５には折目線３８を介して係止片３１が連続的に設けられ、該係止片３１には前記係止孔３３に対応する位置に舌部３２が設けられている。そして、底面部１１、前面部１２、後面部１３、上面部１５、係止片３１をそれぞれ折目線に沿って山折りすることにより、図１、図４に示すように、係止片３１を係止孔３３に挿入して係止でき、紙箱に組立て閉じることが可能となる。
但し、係止孔と係止片の位置及び数は限定するものではなく、係止孔を中央下部に設けたり、係止孔と係止片を左右一対設けたりすることも可能である。
【００１９】
紙箱２は、図７、図８に示すように、上面部２５に提げ手２６を設けたものである。この場合、前記同様に底面部２１の周囲にそれぞれ折目線を介して前面部２２、後面部２３、右側面部２４ａ、左側面部２４ｂが連続的に設けられ、前面部２３及び後面部２２を逆台形状に形成している。前記右側面部２４ａおよび前記左側面部２４ｂと、前記右側面部２４ａおよび前記左側面部２４ｂの前側辺に連設した折込み部１９との間に、上方にいくにしたがって、曲率半径が小さくなる曲線の折目線３０ａを設けている。そして、前面部２３及び後面部２２には更に折目線を介して上面部２５が連続的に設けられている。該上面部２５には更に折目線を介して提げ手２６が設けられ、該提げ手２６は折目線に沿って谷折りして形成され、前後両側の提げ手２６・２６が合わせられる。該提げ手２６の左右両側には略フック状の係止突起４１・４１が形成され、提げ手２６の内側には円弧状の切れ目が形成されて蓋部４２が形成される。
また、右側面部２４ａ、左側面部２４ｂの図７における上部には、折目線を介して立ち上げ部２９が連続して設けられ、該立ち上げ部２９の前後中央には折目線から上方に立ち上がるスリット４４が開口されている。こうして、箱状に組み立てたときに前記前後の係止突起４１・４１を合わせて、スリット４４に挿入することにより、紙箱を組み立てた状態に維持できる。
【００２０】
また、図９に示すように、前記提げ手２６には、該提げ手２６の略中央に位置する持ち手部分２６ａと、前記提げ手２６の両端部に設けた係止突起４１・４１との間の、片側または両側に、凸部４３が形成されている。従来では、紙箱の提げ手部分には手提げの邪魔となるためにこのような変化をつけることは行われていなかったが、本実施例では、この凸部４３に展示効果を持たせるようにしている。
即ち、図７に示すように、本実施例では提げ手２６の略中央に位置する持ち手部分２６ａと、前記提げ手２６の両端部に設けた係止突起４１・４１との間に凸部４３が設けられて、意匠性を高めている。該凸部４３には店の名前やロゴや装飾用デザイン等を施せるようにして、展示効果を高めている。但し、該凸部４３は略円形に限定されるものではなく、三角形や四角形等多角形でも可能であり、図１３に示すように左右両側に設けることも、図１４や図１５に示すように星型や月型等に形成することも可能である。さらに、動物や植物や建物や乗り物等の形またはその一部に構成されることも可能である。また、凸部４３を設けた提げ手２６は紙箱の形状が異なる場合にも設けることが可能となる。つまり、凸部４３を設けた提げ手２６を設ける紙箱の形状は限定するものではない。
【００２１】
次に、紙箱の使用状態について、以下説明する。
本考案に係る紙箱１（または紙箱２）に、三角柱状、直方体状、または円柱状のケーキ等の菓子４０を収容した場合の使用状態について説明する。
【００２２】
図５に示すように、紙箱１内に菓子４０を収容した場合、紙箱１の底面部１１の周囲の折目線側に沿って菓子４０が収納される。このとき、菓子４０の一側の下側端は前面部１２または後面部１３または左側面部１４ｂの下端と当接し、菓子４０の上側面とその側方に位置する前面部１２との間には隙間Ｘが生じる。
【００２３】
従って、紙箱１にお菓子４０を収納した状態で持ち運んだ時に、菓子が多少左右に動くことがあっても、菓子上部に装飾されたクリーム等が紙箱１の内側に附着することを防ぐことが可能となる。さらに、前面部１２及び後面部１３、右側面部１４ａ、左側面部１４ｂを図１に示すように、逆台形状に形成した場合、図５に示すように、紙箱１の内側と菓子との間に生じる隙間は．隙間Ｘに限定されず、その他の側面においても隙間Ｙが生じるため、菓子上部に装飾されたクリーム等が紙箱１の内側に附着することをさらに防ぐことが可能となるのである。
また、紙箱１から菓子４０を取り出す場合であっても、図６に示すように、前面部１２を開けることにより、菓子の下側を持ってクリーム等の装飾に殆ど触れることなく、また、紙箱１の内壁面にも接触することなく、変形や型崩れを起こすことなく、前方へ引き寄せて容易に取り出すことが可能となるのである。
【図面の簡単な説明】
【００２４】
【図１】本考案の一実施例に係る紙箱１の全体的な構成を示した斜視図。
【図２】紙箱１の展開図。
【図３】紙箱１の右側面図。
【図４】紙箱１の正面図。
【図５】菓子４０を紙箱１に収容した状態を示す断面図。
【図６】菓子４０を紙箱１から取出す状態を示す図。
【図７】本考案の一実施例に係る紙箱２の全体的な構成を示した斜視図。
【図８】紙箱２の展開図。
【図９】紙箱２の正面図。
【図１０】紙箱２の右側面図。
【図１１】紙箱２の平面図。
【図１２】紙箱２の底面図。
【図１３】提げ手の別形状を示す図。
【図１４】提げ手の別形状を示す図。
【図１５】提げ手の別形状を示す図。
【符号の説明】
【００２５】
１、２    紙箱
１１、２１    底面部
１２、２２    前面部
１３、２３    後面部
１４ａ、２４ａ    右側面部
１４ｂ、２４ｂ    左側面部
１５、２５    上面部
１６、１７、１８、１９    折込み部
２６    提げ手
２９    立ち上げ部
３０    折目線
３１    係止辺
３２    舌部
３３    係止孔
４０    菓子
４１    係止突起
４２    蓋部
４３    凸部
４４    スリット
【図１】
0003125114.tif 000003
【図２】
0003125114.tif 000004
【図３】
0003125114.tif 000005
【図４】
0003125114.tif 000006
【図５】
0003125114.tif 000007
【図６】
0003125114.tif 000008
【図７】
0003125114.tif 000009
【図８】
0003125114.tif 000010
【図９】
0003125114.tif 000011
【図１０】
0003125114.tif 000012
【図１１】
0003125114.tif 000013
【図１２】
0003125114.tif 000014
【図１３】
0003125114.tif 000015
【図１４】
0003125114.tif 000016
【図１５】
0003125114.tif 000017